(57)【特許請求の範囲】
【請求項１】
免許不要のスペクトルのチャネル状態指示（ＣＳＩ）測定のための方法であって、
ユーザ装置（ＵＥ）により、前記免許不要のスペクトルのキャリアを使用してｅＮｏｄｅＢ（ｅＮＢ）からダウンリンク信号を受信し、前記キャリアは、免許アシストアクセス（ＬＡＡ）キャリアであり、前記キャリアには、オンデュレーション及びオフデュレーションが含まれるステップと、
前記ＵＥにより、コンフィギュレーションパラメータのセットに従ってチャネル状態情報を生成するために、１つ以上のサブフレームで測定ウィンドーに基づいて前記ダウンリンク信号に対する測定を遂行するステップと、
前記チャネル状態情報を含むアップリンク信号を前記ｅＮＢに送信するステップと
を有し、
前記測定ウィンドーは、前記オンデュレーションに属する全てのサブフレーム及び前記オフデュレーションに属する少なくとも一つのサブフレームを含み、前記測定ウィンドーの期間は、前記オンデュレーションの開始サブフレームに基づくことを特徴とする方法。
【請求項２】
前記測定を遂行するステップは、
前記オンデュレーションの間に前記ｅＮＢから受信された前記ダウンリンク信号に属した１つ以上の基準信号を測定するステップと、
前記オフデュレーションの間に１つ以上の隣接ｅＮＢから受信された干渉を測定するステップと、
を有することを特徴とする請求項１に記載の方法。
【請求項３】
前記測定を遂行するステップは、
前記チャネル状態情報が前記測定ウィンドーの間に前記アップリンク信号に含まれるようにトリガーリングするステップと、
前記チャネル状態情報が特定のサブフレーム位置で前記アップリンク信号に含まれるようにトリガーリングするステップと
を有することを特徴とする請求項１に記載の方法。
【請求項４】
前記チャネル状態情報を含む前記アップリンク信号は、時間周期が、上位レイヤシグナリング又は物理レイヤシグナリングを使用するｅＮＢにより構成されたしきい値を超過することに従って送信されることを特徴とする請求項１に記載の方法。
【請求項５】
前記コンフィギュレーションパラメータのセットは、上位レイヤシグナリング又は物理レイヤシグナリングを使用するｅＮＢにより構成されることを特徴とする請求項１に記載の方法。
【請求項６】
ユーザ装置（ＵＥ）であって、
免許不要のスペクトルのキャリアを使用してｅＮｏｄｅ  Ｂ（ｅＮＢ）からダウンリンク信号を受信し、前記キャリアは、免許アシストアクセス（ＬＡＡ）キャリアであり、前記キャリアにはオンデュレーション及びオフデュレーションが含まれ、チャネル状態情報を含むアップリンク信号を前記ｅＮＢに送信するように構成される少なくとも１つの送受信器と、
コンフィギュレーションパラメータのセットに従って、前記チャネル状態情報を生成するために、１つ以上のサブフレームで測定ウィンドーに基づいて前記ダウンリンク信号に対する測定を遂行するように構成される少なくとも１つの制御器と
を有し、
前記測定ウィンドーは、前記オンデュレーションに属する全てのサブフレーム及び前記オフデュレーションに属する少なくとも一つのサブフレームを含み、前記測定ウィンドーの期間は、前記オンデュレーションの開始サブフレームに基づくことを特徴とするユーザ装置。
【請求項７】
前記少なくとも１つの制御器は、
前記オンデュレーションの間に前記ｅＮＢから受信された前記ダウンリンク信号に属した１つ以上の基準信号を測定し、
前記オフデュレーションの間に１つ以上の隣接ｅＮＢから受信された干渉を測定することを特徴とする請求項６に記載のユーザ装置。
【請求項８】
前記少なくとも１つの制御器は、
前記チャネル状態情報が前記測定ウィンドーの間に前記アップリンク信号に含まれるようにトリガーリングし、
前記チャネル状態情報が特定のサブフレーム位置で前記アップリンク信号に含まれるようにトリガーリングするようにさらに構成されることを特徴とする請求項６に記載のユーザ装置。
【請求項９】
前記チャネル状態情報を含む前記アップリンク信号は、時間周期が、上位レイヤシグナリング又は物理レイヤシグナリングにより構成されたしきい値を超過することに従って送信されることを特徴とする請求項６に記載のユーザ装置。
【請求項１０】
前記コンフィギュレーションパラメータのセットは、上位レイヤシグナリング又は物理レイヤシグナリングを用いてｅＮＢにより構成されることを特徴とする請求項６に記載のユーザ装置。
【請求項１１】
免許不要のスペクトルにおけるチャネル状態指示（ＣＳＩ）測定のための方法であって、
ｅＮｏｄｅ  Ｂ（ｅＮＢ）により、前記免許不要のスペクトルのキャリアを使用してユーザ装置（ＵＥ）に、ダウンリンク信号を送信し、前記キャリアは、免許アシストアクセス（ＬＡＡ）キャリアであり、前記キャリアには、オンデュレーション及びオフデュレーションが含まれるステップと、
前記ＵＥからチャネル状態情報を含むアップリンク信号を受信するステップとを有し、
前記チャネル状態情報は、一つ以上のサブフレームで測定ウィンドーに基づいて前記ダウンリンク信号に対して測定が遂行されることにより生成され、
前記測定ウィンドーは、前記オンデュレーションに属する全てのサブフレーム及び前記オフデュレーションに属する少なくとも一つのサブフレームを含み、前記測定ウィンドーの期間は、前記オンデュレーションの開始サブフレームに基づくことを特徴とする方法。
【請求項１２】
前記チャネル状態情報を含むアップリンク信号は、時間周期が、上位レイヤシグナリング又は物理レイヤシグナリングを使用するｅＮＢにより構成されるしきい値を超過することに従って受信されることを特徴とする請求項１１に記載の方法。
【請求項１３】
ｅＮｏｄｅ  Ｂ（ｅＮＢ）であって、
免許不要のスペクトルのキャリアを使用してユーザ装置（ＵＥ）に、ダウンリンク信号を送信し、
前記キャリアは、免許アシストアクセス（ＬＡＡ）キャリアであり、
前記キャリアには、オンデュレーション及びオフデュレーションが含まれ、前記ＵＥからチャネル状態情報を含むアップリンク信号を受信するように構成される少なくとも１つの送受信器を含み、
前記チャネル状態情報は、一つ以上のサブフレームで測定ウィンドーに基づいて前記ダウンリンク信号に対して測定が遂行されることにより生成され、
前記測定ウィンドーは、前記オンデュレーションに属する全てのサブフレーム及び前記オフデュレーションに属する少なくとも一つのサブフレームを含み、前記測定ウィンドーの期間は、前記オンデュレーションの開始サブフレームに基づくことを特徴とするｅＮＢ。
【請求項１４】
前記チャネル状態情報を含むアップリンク信号は、時間周期が、上位レイヤシグナリング又は物理レイヤシグナリングを使用するｅＮＢにより構成されるしきい値を超過することに従って受信されることを特徴とする請求項１３に記載のｅＮＢ。
【発明の詳細な説明】
【技術分野】
【０００１】
本開示は、一般的に、無線通信システムに関し、より詳細には、免許不要のスペクトル上でのチャネル状態指示（ＣＳＩ）測定のための方法及び装置に関する。
【背景技術】
【０００２】
第４世代（４Ｇ）通信システムの配置の後に増加している無線データトラフィックに対する需要を満足させるために向上した第５世代（５Ｇ）又は予備５Ｇ通信システムを開発しようする努力があった。したがって、５Ｇ又は予備５Ｇ通信システムを‘ビヨンド４Ｇネットワーク’又は‘ポストＬＴＥシステム’とも称する。
【０００３】
５Ｇ通信システムは、より高いデータレートを達成するためにより高い周波数（ｍｍＷａｖｅ）帯域、例えば、６０ＧＨｚ帯域で具現されると見なされる。無線波の伝搬損失を減少させ送信距離を増加させるために、ビームフォーミング、大規模多入力多出力（multiple-inputmultiple-output：ＭＩＭＯ）、全次元（fulldimensional）ＭＩＭＯ（ＦＤ−ＭＩＭＯ）、アレイアンテナ、アナログビームフォーミング、大規模アンテナ技術が５Ｇ通信システムで論議されている。
【０００４】
また、５Ｇ通信システムでは、アドバンスド小型セル、クラウド無線アクセスネットワーク（ＲＡＮ）、超密集ネットワーク、デバイスツーデバイス（device-to-device：Ｄ２Ｄ）通信、無線バックホール、移動ネットワーク、協調通信、協調マルチポイント（CoordinatedMulti-Points：ＣｏＭＰ）、受信端干渉除去などに基づいてシステムネットワーク改善のための開発が進行中にある。
【０００５】
５Ｇシステムにおいて、アドバンスドコーディング変調（ＡＣＭ）としてのハイブリッドＦＳＫ及びＱＡＭ変調（ＦＱＭ）、スライディングウィンドー重ね合せコーディング（ＳＷＳＣ）、及びアドバンスドアクセス技術としてのフィルタバンクマルチキャリア（ＦＢＭＣ）、非直交多重化アクセス（ＮＯＭＡ）、及びスパースコード多元接続（ＳＣＭＡ）が開発されてきた。
【０００６】
免許不要のキャリアは、無料のパブリックアクセススペクトルの提供に定義される。したがって、ユーザ装置（ＵＥ）による免許不要のキャリアの使用は、ＵＥが免許されたキャリアで提供される通信に目立つ干渉を生成しないという条件だけで許容される。例えば、ＩＳＭ（industrial,scientificandmedical）キャリア及び免許不要の国家情報基盤（ＵＮＩＩ）キャリアを含む免許不要のキャリアは、免許不要の周波数スペクトル（例えば、ＬＴＥ−Ｕ（LTE-Unlicensed）又はＬＡＡ（licenseassistedaccess））上でロングタームエボルーション（ＬＴＥ）無線アクセス技術（ＲＡＴ）で使用される。
【０００７】
同一の免許不要のスペクトル上に異なる無線プロトコルで動作する複数のＲＡＴが存在するので、免許不要の周波数スペクトル上での共存方式を可能にする必要がある。したがって、免許不要のスペクトル上で無線通信ネットワークを通して進行中の送信があるか否かを判定するために所定の時間期間の間に異種ＲＡＴに対してチャネル推定方式が必要とされる。
【発明の概要】
【発明が解決しようとする課題】
【０００８】
本発明の目的は、少なくとも上述した問題点及び／又は不都合に取り組み、少なくとも以下の便宜を提供することにある。すなわち、本発明の目的は、免許不要のスペクトル上でのＣＳＩ測定のための方法及び装置を提供することにある。
【課題を解決するための手段】
【０００９】
上記のような目的を達成するために、本発明の実施形態の一態様によれば、無線通信システムにおけるダウンリンク信号を測定するための方法が提供される。上記方法は、１つ以上のキャリアを使用してｅＮｏｄＢ（ｅＮＢ）からダウンリンク信号を受信するステップを含む。ダウンリンク信号は、１つ以上のキャリアでオン（ＯＮ）デュレーション及びオフ（ＯＦＦ）デュレーションの間に１つ以上のサブフレームを含む。また、上記方法は、コンフィギュレーションパラメータのセットに従ってチャネル状態情報を生成するためにダウンリンク信号に含まれる１つ以上のサブフレームを測定し、チャネル状態情報を含むアップリンク信号をｅＮＢに送信するステップをさらに含む。
【００１０】
本発明の実施形態の他の態様によれば、ユーザ装置（ＵＥ）のための装置が提供される。上記装置は、１つ以上のキャリアを使用してｅＮｏｄｅＢ（ｅＮＢ）からダウンリンク信号を受信するように構成される少なくとも１つの送受信器を含む。ダウンリンク信号は、１つ以上のキャリアでオン（ＯＮ）デュレーション及びオフ（ＯＦＦ）デュレーションの間に１つ以上のサブフレームを含む。少なくとも１つの送受信器は、チャネル状態情報を含むアップリンク信号をｅＮＢに送信するようにさらに構成される。上記装置は、チャネル状態情報を生成するためにダウンリンク信号に含まれる１つ以上のサブフレームを測定するように構成される少なくとも１つの制御器をさらに含む。
【００１１】
本発明の実施形態のさらに他の態様によれば、無線通信システムにおけるダウンリンク信号を測定するための方法が提供される。上記方法は、１つ以上のキャリアを使用してユーザ装置（ＵＥ）にダウンリンク信号を送信するステップを含む。ダウンリンク信号は、１つ以上のキャリアでオン（ＯＮ）デュレーション及びオフ（ＯＦＦ）デュレーションの間に１つ以上のサブフレームを含む。上記方法は、チャネル状態情報を含むアップリンク信号をＵＥから受信するステップをさらに含む。
【００１２】
本発明の実施形態のさらなる他の態様によれば、ｅＮｏｄｅＢ（ｅＮＢ）に対する装置が提供される。上記装置は、１つ以上のキャリアを使用してユーザ装置（ＵＥ）にダウンリンク信号を送信するように構成される少なくとも１つの送受信器を含む。ダウンリンク信号は、１つ以上のキャリアでオン（ＯＮ）デュレーション及びオフ（ＯＦＦ）デュレーションの間に１つ以上のサブフレームを含む。少なくとも１つの送受信器は、チャネル状態情報を含むアップリンク信号をＵＥから受信するようにさらに構成される。
【００１３】
他の技術的な特徴は、以下の図面、詳細な説明、及び特許請求の範囲から当該分野の当業者に明確になるはずである。
【発明の効果】
【００１４】
本開示及びその長所に対するより完全な理解のために、同一の参照符号は、同一の構成要素を示す添付された図面と関連してなされた下記の説明を参照する。
【図面の簡単な説明】
【００１５】
【図１】本開示の実施形態による例示的な無線ネットワークを示す図である。
【図２】本開示の実施形態による例示的なｅ−ＮｏｄｅＢ（ｅＮＢ）を示す図である。
【図３】本開示の実施形態による例示的なユーザ装置（ＵＥ）を示す図である。
【図４Ａ】本開示の実施形態による直交周波数分割多重化アクセス送信経路のハイレベルダイアグラムを示す図である。
【図４Ｂ】本開示の実施形態による直交周波数分割多重化アクセス受信経路のハイレベルダイアグラムを示す図である。
【図５】本開示の実施形態によるダウンリンク（ＤＬ）送信時間インターバル（ＴＴＩ）に対する例示的な構造を示す図である。
【図６】本開示の実施形態による共通基準信号リソースエレメント（ＣＲＳ  ＲＥ）マッピングのための例示的な構造 を示す図である。
【図７】本開示の実施形態による１次同期信号／２次同期信号（ＰＳＳ／ＳＳＳ）に対する時間ドメイン位置の例示的なコンフィギュレーションを示す図である。
【図８】本開示の実施形態による免許スペクトル及び免許不要のスペクトルのための例示的なキャリアアグリゲーションを示す図である。
【図９】本開示の実施形態による免許アシストアクセス（ＬＡＡ）ダウンリンクキャリア上の送信パターンの例示的なコンフィギュレーションを示す図である。
【図１０】本開示の実施形態による免許アシストアクセス（ＬＡＡ）キャリア上の固定デュレーションチャネル状態指示（ＣＳＩ）測定ウィンドーの例示的なコンフィギュレーションを示す図である。
【図１１】本開示の実施形態によるＬＡＡキャリア上の可変デュレーションＣＳＩ測定ウィンドーの例示的なコンフィギュレーションを示す図である。
【図１２】本開示の実施形態による周期的であり非周期的なディスカバリ基準信号／ＣＳＩ基準信号（ＤＲＳ／ＣＳＩ−ＲＳ）場合の例示的なコンフィギュレーションを示す図である。
【図１３】本開示の実施形態による複数のＬＡＡキャリアにわたったＣＳＩ測定ウィンドー及び測定ギャップに対する例示的なコンフィギュレーションを示す図である。
【発明を実施するための形態】
【００１６】
本発明を詳細に説明するのに先立って、本明細書の全般にわたって使用される特定の単語及び語句の定義を説明することが好ましい。“接続（結合）する”という語句だけではなく、その派生語は、２以上の構成要素が相互に物理的な接触状態にあるか否か、それら間の任意の直接的であるか又は間接的な通信を称する。“送信する”、“受信する”、及び“通信する”という用語だけでなく、その派生語は、直接的または間接的な通信のすべてを含む。“含む”及び “備える”という語句だけではなく、その派生語は、限定ではなく、包含を意味する。“又は”という用語は、“及び／又は”の意味を包含する。“関連した”及び“それと関連した”という語句だけではなく、その派生語句は、“含む”、“含まれる”、“相互に連結する”、“包含する”、“包含される”、“連結する”、“結合する”、“疎通する”、“協力する”、“挿入する”、“並置する”、“近接する”、“属する”、“有する”、及び“特性を有する”、“関係を有する”などを意味する。“少なくとも１つの”という語句は、項目のリストとともに使用される時に、リストされた項目の中の１つ以上の相互に異なる組み合わせが使用されてもよく、そのリスト内の１つの項目だけが必要とされてもよいことを意味する。例えば、“Ａ、Ｂ、及びＣの中の少なくとも１つ”は、次のような組み合わせの中のいずれか１つを含む：Ａ、Ｂ、Ｃ、Ａ及びＢ、Ａ及びＣ、Ｂ及びＣ、並びに、Ａ及びＢ及びＣ。
【００１７】
さらに、以下に記述される様々な機能は、１つ以上のコンピュータプログラムにより具現化されるか又はサポートされてもよく、そのプログラムの各々は、コンピュータ読み取り可能なプログラムコードで構成されてもよく、コンピュータ読み取り可能な媒体で実施されてもよい。“アプリケーション”及び“プログラム”という用語は、１つ以上のコンピュータプログラム、ソフトウェアコンポーネント、命令語セット、手順、関数、オブジェクト、クラス、インスタンス、関連データ、又は適合したコンピュータ読み取り可能なプログラムコードの実現に適合したそれらの一部を称する。“コンピュータ読み取り可能なプログラムコード”という語句は、ソースコード、オブジェクトコード、及び実行コードを含むすべてのタイプのコンピュータコードを含む。“コンピュータ読み取り可能な媒体”という語句は、読出し専用メモリ（readonlymemory：ＲＯＭ）、ランダムアクセスメモリ（randomaccessmemory：ＲＡＭ）、ハードディスクドライブ、コンパクト・ディスク（ＣＤ）、ディジタルビデオディスク（ＤＶＤ）、又は任意の他のタイプのメモリのように、コンピュータによりアクセスできるすべてのタイプの媒体を含む。“非一時的”なコンピュータ読み取り可能な媒体は、一時的な電気又は他の信号を転送する有線、無線、光学、又は他の通信リンクを除外する。非一時的なコンピュータ読み取り可能な媒体は、データが永続的に記憶されることができる媒体、及び再記録可能な光学ディスクや削除可能なメモリ装置のようにデータを記憶し、後で上書きできる媒体を含む。
【００１８】
他の所定の単語及び語句に対する定義がこの特許文書の全体にわたって提供される。当業者は、大部分の場合ではなくても多くの場合に、そのような定義がそのように定義された単語及び語句の前だけでなく後の使用にも適用されてもよいことが分かる。
【００１９】
以下に論議される図１乃至図１３、及び本特許文献において本発明の開示原則を説明するために使用される様々な実施形態は、例示としてのみ提供され、本発明の範囲を限定するいかなる方法としても理解されてはならない。当業者であれば、本発明の開示原則が、適切に配置された任意のシステム又は装置で実現することができるものであることは自明である。
【００２０】
以下の文書及び標準説明が本明細書に全体的に記述されたもののように本開示に含まれる：３ＧＰＰ  ＴＳ  ３６．２１１  ｖ１２．２．０，“Ｅ−ＵＴＲＡ、物理チャネル及び変調”（参照１）、３ＧＰＰ  ＴＳ３６．２１２  ｖ１２．２．０，“Ｅ−ＵＴＲＡ、マルチプレキシング及びチャネルコーディング”（参照２）、３ＧＰＰ  ＴＳ３６．２１３  ｖ１２．２．０，“Ｅ−ＵＴＲＡ、物理レイヤ手順”（参照３）、“３ＧＰＰ  ＴＲ３６．８７２  ｖ１２．０．０，“Ｅ−ＵＴＲＡ及びＥ−ＵＴＲＡＮのための小型セル向上−物理レイヤ様態”（参照４）、３ＧＰＰ  ＴＳ３６．１３３  ｖ１２．７．０，“無線リソース管理のサポートのためのＥ−ＵＴＲＡ要件”（参照５）、３ＧＰＰ  ＴＳ３６．３３１  ｖ１２．２．０，“Ｅ−ＵＴＲＡ、無線リソース制御（ＲＲＣ）プロトコル仕様”（参照６）、及びＥＴＳＩ  ＥＮ  ３０１  ８９３  Ｖ１．７．１（２０１２−０６）、欧州整合規格、“広帯域無線アクセスネットワーク（ＢＲＡＮ）；５ＧＨｚ高性能（ＲＬＡＮ）”（参照７）。
【００２１】
以下に説明する図１乃至図４Ｂは、無線通信システムにおいて、ＯＦＤＭ又はＯＦＤＭＡ通信技術の使用を通して実現される様々な実施形態を示す。図１乃至図３の内容は、他の実施形態が具現される方式に対して物理的な又は構造的な限界を含むようになっているのではない。本開示の他の実施形態は、適切に配置された任意の通信システムで実現することができる。
【００２２】
図１は、本開示の実施形態による例示的な無線ネットワーク１００を示す図である。図１に示す無線ネットワーク１００の実施形態は、例示のためのみのものである。無線ネットワーク１００の他の実施形態は、本開示の範囲から逸脱せず使用されることもできる。
【００２３】
図１に示すように、無線ネットワーク１００は、ｅＮＢ１０１、ｅＮＢ１０２、及びｅＮＢ１０３を含む。ｅＮＢ１０１は、ｅＮＢ１０２及びｅＮＢ１０３と通信する。また、ｅＮＢ１０１は、インターネット、独自のインターネットプロトコル（ＩＰ）ネットワーク、又は他のデータネットワークのような少なくとも１つのＩＰネットワーク１３０と通信する。
【００２４】
ｅＮＢ１０２は、ｅＮＢ１０２のカバレッジエリア１２０内の第１の複数のユーザ（ＵＥｓ）にネットワーク１３０に対する無線広帯域アクセスを提供する。第１の複数のＵＥは、スモールビジネス（ＳＢ）内に位置できるＵＥ１１１、企業体（Ｅ）内に位置できるＵＥ１１２、ＷｉＦｉホットスポット（ＨＳ）内に位置できるＵＥ１１３、第１のレジダンス（Ｒ）内に位置できるＵＥ１１４、第２のレジダンス（Ｒ）内に位置できるＵＥ１１５、及びセルフォン、無線ラップトップ、無線ＰＤＡなどのようなモバイル装置（Ｍ）であるＵＥ１１６を含む。ｅＮＢ１０３は、ｅＮＢ１０３のカバレッジエリア１２５内にある第２の複数のＵＥにネットワーク１３０に対する無線広帯域アクセスを提供する。第２の複数のＵＥは、ＵＥ１１５及びＵＥ１１６を含む。一部の実施形態において、ｅＮＢ１０１乃至１０３の中の１つ以上は、５Ｇ、ＬＴＥ、ＬＴＥ−Ａ、ＷｉＭＡＸ、ＷｉＦｉ、又は他の進歩した無線通信技術を用いて、相互に及びＵＥ１１１乃至１１６と通信できる。
【００２５】
ネットワークタイプにより、“ｅＮｏｄｅＢ”又は“ｅＮＢ”の代わりに、“基地局”又は“アクセスポイント”のようなよく知られている他の用語が使用されることができる。説明の便宜のために、本特許文書内で使用される“ｅＮｏｄｅＢ”及び“ｅＮＢ”という用語は、遠隔端末に対する無線アクセスを提供するネットワークインフラ構成要素を意味する。また、他のネットワークタイプにより、“ユーザ装置”又は“ＵＥ”、 “移動局”、“加入者局”、“遠隔端末”、“無線端末”、又は“ユーザ装置”のような他のよく知られている用語が使用されることができる。説明の便宜のために、“ユーザ装置”及び“ＵＥ”という用語は、本特許文書において、ＵＥが（移動電話又はスマートフォンのような）移動装置として見なされるか又は（デスクトップコンピュータ又はベンディングマシンのような）一般的に固定装置として見なされるかにかかわらず、無線でｅＮＢをアクセスする遠隔無線装置を称するために使用される。
【００２６】
点線は、例示及び説明のみのために、ほぼ円形態で見られるカバレッジエリア１２０及び１２５の概略的な程度を示す。カバレッジエリア１２０及び１２５のように、ｅＮＢと関連したカバレッジエリアは、自然的であり人為的な障害物と関連した無線環境内の変動及びｅＮＢの構成により、不規則的な形態を含む他の形態を有することができることを明確に理解することができる。
【００２７】
以下でより詳細に説明するように、ＵＥ１１１乃至１１６のうちの１つ以上は、免許不要のスペクトルでの効率的な動作のための回路、プログラミング、又はその組み合せを含む。所定の実施形態において、ｅＮＢ１０１乃至１０３のうちの１つ以上は、免許不要のスペクトルでＬＴＥセルの効率的な動作のための回路、プログラミング、又はその組み合せを含む。
【００２８】
図１は、無線ネットワーク１００の一例を示しているが、図１に対して様々な変形がなされる。例えば、無線ネットワーク１００は、任意の数のｅＮＢ及び任意の数のＵＥを任意の適切な配置で含む。また、ｅＮＢ１０１は、任意の数のＵＥと直接に通信することによりそのＵＥにネットワーク１３０に対する無線広帯域アクセスを提供できる。同様に、それぞれのｅＮＢ１０２及び１０３は、ネットワーク１３０と直接に通信することによりネットワーク１３０に対する直接無線広帯域アクセスをＵＥに提供できる。さらに、ｅＮＢ１０１、１０２、及び／又は１０３は、外部電話網又は他のタイプのデータネットワークのような他の、又は、付加の外部ネットワークへのアクセスを提供できる。
【００２９】
図２は、本開示の実施形態によるｅＮＢ１０２の例を示す図である。図２に示すｅＮＢ１０２の実施形態は、例示のためのものであるだけで、図１のｅＮＢ１０１及び１０３は、同一であるか又は類似の構成を有する。しかしながら、ｅＮＢは、広範囲な構成で現れ、図２は、本開示の範囲をｅＮＢの任意の特定の具現例に限定しない。
【００３０】
図２に示すように、ｅＮＢ１０２は、多重アンテナ２０５ａ乃至２０５ｎ、多重無線周波数（ＲＦ）送受信器２１０ａ乃至２１０ｎ、送信（ＴＸ）処理回路２１５、及び受信（ＲＸ）処理回路２２０を含む。また、ｅＮＢ１０２は、制御器／プロセッサ２２５、メモリ２３０、及びバックホール又はネットワークインターフェース２３５を含む。
【００３１】
ＲＦ送受信器２１０ａ乃至２１０ｎは、ネットワーク１００内のＵＥにより送信された入力ＲＦ信号をアンテナ２０５ａ乃至２０５ｎから受信する。ＲＦ送受信器２１０ａ乃至２１０ｎは、入力ＲＦ信号をダウンコンバートすることにより中間周波数（ＩＦ）又は基底帯域信号を生成する。ＩＦ又は基底帯域信号は、ＲＸ処理回路２２０に送信され、ＲＸ処理回路２２０は、基底帯域又はＩＦ信号のフィルタリング、デコーディング、及び／又はディジタル化を行うことにより処理された基底帯域信号を生成する。ＲＸ処理回路２２０は、処理された基底帯域信号を追加の処理をするために制御器／プロセッサ２２５に送信する。
【００３２】
ＴＸ処理回路２１５は、制御器／プロセッサ２２５からアナログ又はディジタルデータ（音声データ、ウェブデータ、電子メール、又は双方向ビデオゲームデータ）を受信する。ＴＸ処理回路２１５は、送信基底帯域データの符号化、多重化、及び／又はディジタル化を行うことにより処理された基底帯域又はＩＦ信号を生成する。ＲＦ送受信器２１０ａ乃至２１０ｎは、処理された送信基底帯域又はＩＦ信号をＴＸ処理回路２１５から受信し、アンテナ２０５ａ乃至２０５ｎを通して送信される基底帯域又はＩＦ信号をＲＦ信号にアップコンバートする。
【００３３】
制御器／プロセッサ２２５は、ｅＮＢ１０２の全般的な動作を制御する１つ以上のプロセッサ又は他の処理装置を含むことができる。例えば、制御器／プロセッサ２２５は、公知の原理に従って、ＲＦ送受信器２１０ａ乃至２１０ｎ、ＲＸ処理回路２２０、及びＴＸ処理回路２１５により順方向チャネル信号の受信及び逆方向チャネル信号の送信を制御する。制御器／プロセッサ２２５は、より進歩した無線通信機能のような追加の機能もサポートすることができる。例えば、制御器／プロセッサ２２５は、多重アンテナ２０５ａ乃至２０５ｎから送信される信号を所望する方向に効率的に操縦するために送信される信号を異なるように加重させるビームフォーミング又は方向性ルーティング動作をサポートすることができる。広範囲な他の機能のうちのいずれか１つが制御器／プロセッサ２２５によりｅＮＢ１０２内でサポートされる。一部の実施形態において、制御器／プロセッサ２２５は、少なくとも１つのマイクロプロセッサ又はマイクロコントローラを含む。以下でより詳細に説明するように、ｅＮＢ１０２は、免許不要のスペクトルでＬＴＥセルの効率的な動作のための回路、プログラミング、又はその組み合せを含む。例えば、制御器／プロセッサ２２５は、制御器／プロセッサが免許不要のスペクトル内のＬＴＥセルの効率的な動作を提供できるように構成されるメモリ２３０内に格納される１つ以上の命令語を実行するように構成されることができる。
【００３４】
また、制御器／プロセッサ２２５は、基本ＯＳのように、メモリ２３０に滞在するプログラム及び他のプロセスを実行することができる。制御器／プロセッサ２２５は、実行プロセスにより要請される時に、メモリ２３０の内部又は外部にデータを移動させることができる。
【００３５】
制御器／プロセッサ２２５は、バックホール又はネットワークインターフェース２３５にも結合される。バックホール又はネットワークインターフェース２３５は、ｅＮＢ１０２がバックホール接続又はネットワークを通して他の装置又はシステムと通信できるようにする。インターフェース２３５は、ある適切な有線又は無線接続を通して通信をサポートできる。例えば、ｅＮＢ１０２がセルラー通信システム（５Ｇ、ＬＴＥ、又はＬＴＥ−Ａをサポートするもののようなシステム）として具現される時に、インターフェース２３５は、ｅＮＢ１０２が有線又は無線バックホール接続を通して他のｅＮＢと通信できるようにする。ｅＮＢ１０２がアクセスポイントとして具現される時に、インターフェース２３５は、ｅＮＢ１０２が有線又は無線ローカル領域ネットワークを通すか（インターネットのような）、又はより大きいネットワークへの有線又は無線接続を通して通信するようにする。インターフェース２３５は、イーサネット（登録商標）又はＲＦ送受信器のように、有線又は無線接続を通した通信をサポートする任意の適切な構造を含む。
【００３６】
メモリ２３０は、制御器／プロセッサ２２５に結合される。メモリ２３０の一部は、ＲＡＭを含み、メモリ２３０の他の一部は、フラッシュメモリ又は他のＲＯＭを含むことができる。
【００３７】
図２は、ｅＮＢ１０２の一例を示しているが、図２に対して様々な変形がなされる。例えば、ｅＮＢ１０２は、図２に示す所定数のそれぞれの構成要素を含む。特定の例として、アクセスポイントは、複数のインターフェース２３５を含み、制御器／プロセッサ２２５は、異なるネットワークアドレスの間でデータをルーティングするルーティング機能をサポートすることができる。他の特定の例として、１つのインスタンスのＴＸ処理回路２１５及び１つのインスタンスのＲＸ処理回路２２０を含むもので図示されているが、ｅＮＢ１０２は、それぞれに対して様々なインスタンスを含む（例えば、ＲＦ送受信器当たりの１つ）。また、図２の様々な構成要素が結合されるか、さらに細分化されるか、又は省略されるか、特定の需要に応じて追加の構成要素が付加される。
【００３８】
図３は、本開示の実施形態による例示的なＵＥ１１６を示す図である。図３に示すＵＥ１１６の実施形態は、例示のためのものであるだけで、図１のＵＥ１１１乃至１１５と同一であるか又は類似の構成を有する。しかしながら、ＵＥは、広範囲な構成で現れ、図３は、本開示の範囲をＵＥの任意の特定の具現例に限定しない。
【００３９】
図３に示すように、ＵＥ１１６は、アンテナ３０５、無線周波数（ＲＦ）送受信器３１０、ＴＸ処理回路３１５、マイクロフォン３２０、及び受信（ＲＸ）処理回路３２５を含む。また、ＵＥ１１６は、スピーカ３３０、プロセッサ３４０、入力／出力（Ｉ／Ｏ）インターフェース（ＩＦ）３４５、タッチスクリーン３５０、ディスプレイ３５５、及びメモリ３６０を含む。メモリ３６０は、基本オペレーティングシステム（ＯＳ）プログラム３６１及び１つ以上のアプリケーション３６２を含む。
【００４０】
ＲＦ送受信器３１０は、アンテナ３０５から、ネットワーク１００のｅＮＢにより送信される入力ＲＦ信号を受信する。ＲＦ送受信器３１０は、入力ＲＦ信号をダウンコンバートして中間周波数（ＩＦ）又は基底帯域信号を生成する。ＩＦ又は基底帯域信号は、ＲＸ処理回路３２５に送信され、ＲＸ処理回路３２５は、基底帯域又はＩＦ信号のフィルタリング、デコーディング、及び／又はディジタル化を行うことにより処理された基底帯域信号を生成する。ＲＸ処理回路３２５は、処理された基底帯域信号をスピーカ３３０（音声データの場合）又はメインプロセッサ３４０（例えば、ウェブブラウジングデータの場合）に送信する。
【００４１】
ＴＸ処理回路３１５は、マイクロフォン３２０からアナログ又はディジタル音声データを、あるいはプロセッサ３４０から他の送信基底帯域データ（例えば、ウェブデータ、電子メール、双方向ビデオゲームデータ）を受信する。ＴＸ処理回路３１５は、送信基底帯域データの符号化、多重化、及び／又はディジタル化を行うことにより処理された基底帯域又はＩＦ信号を生成する。ＲＦ送受信器３１０は、処理された送信基底帯域又はＩＦ信号をＴＸ処理回路３１５から受信し、アンテナ３０５を通して送信される基底帯域又はＩＦ信号をＲＦ信号にアップコンバートする。
【００４２】
プロセッサ３４０は、１つ以上のプロセッサ又は他の処理装置を含むことができ、ＵＥ１１６の全般的な動作を制御するためにメモリに記憶されるＯＳ３６１を実行できる。例えば、プロセッサ３４０は、公知の原理に従って、ＲＦ送受信器３１０、ＲＸ処理回路３２５、及びＴＸ処理回路３１５により順方向チャネル信号の受信及び逆方向チャネル信号の送信を制御できる。一部の実施形態において、プロセッサ３４０は、少なくとも１つのマイクロプロセッサ又はマイクロコントローラを含む。
【００４３】
また、プロセッサ３４０は、免許不要のスペクトルでの効率的な動作のためのプロセスのように、メモリ３６０に常駐している他のプロセス及びプログラムを実行することができる。プロセッサ３４０は、実行プロセスにより要求される時に、メモリ３６０にデータを移動させるか又はメモリからデータを移動させることができる。一部の実施形態において、プロセッサ３４０は、ＯＳ３６１に基づくか、あるいは、ｅＮＢ又はオペレータから受信された信号に応じてアプリケーション３６２を実行するように構成される。また、プロセッサ３４０は、ラップトップコンピュータ及びハンドヘルドコンピュータのような他の装置に接続できる機能をＵＥ１１６に提供するＩ／Ｏインターフェース３４５に結合される。Ｉ／Ｏインターフェース３４５は、これらのアクセサリ及びプロセッサ３４０との間の通信経路である。
【００４４】
また、プロセッサ３４０は、タッチスクリーン３５０及びディスプレイ３５５に結合される。ＵＥ１１６のオペレータは、タッチスクリーン３５０を使用してデータをＵＥ１１６に入力できる。ディスプレイ３５５は、液晶ディスプレイ、発光ダイオードディスプレイ、又はウェブサイトからテキスト及び／又は少なくとも制限されたグラフィックをレンダリングできる他のディスプレイであり得る。
【００４５】
メモリ３６０は、プロセッサ３４０に結合される。メモリ３６０の一部は、ＲＡＭを含み、メモリ３６０の他の一部は、フラッシュメモリ又は他のＲＯＭを含むことができる。
【００４６】
図３は、ＵＥ１１６の一例を示しているが、図３に対して様々な変形がなされる。例えば、図３の様々な構成要素が結合されるか、さらに細分化されるか、又は省略されるか、特定の需要に応じて追加の構成要素が付加される。特定の例として、プロセッサ３４０は、１つ以上の中央処理ユニット（ＣＰＵ）及び１つ以上のグラフィック処理ユニット（ＧＰＵ）のような様々なプロセッサに分割される。また、図３は、携帯電話又はスマートフォンとして構成されるＵＥ１１６を示すが、ＵＥは、他のタイプのモバイル又は固定装置として動作するように構成される。
【００４７】
図４Ａは、送信経路回路４００のハイレベル図である。例えば、送信経路回路４００は、直交周波数分割多重接続（orthogonal frequency division multiple access：ＯＦＤＭＡ）通信のために使用される。図４Ｂは、受信経路回路４５０のハイレベルダイアグラムである。例えば、受信経路回路４５０は、直交周波数分割多重接続（ＯＦＤＭＡ）通信のために使用される。図４Ａ及び図４Ｂにおいて、ダウンリンク通信のために、送信経路回路４００は、基地局（ｅＮＢ）又は中継局で具現され、受信経路回路４５０は、ユーザ装置（例えば、図１のユーザ装置１１６）で具現される。他の例において、アップリンク通信のために、受信経路回路４５０は、基地局（例えば、図１のｅＮＢ）又は中継局で具現され、送信経路回路４００は、ユーザ装置（例えば、図１のユーザ装置１１６）で具現される。
【００４８】
送信経路回路４００は、チャネル符号化及び変調ブロック４０５、直列−並列（serial-to-parallel：Ｓ−ｔｏ−Ｐ）ブロック４１０、サイズＮ逆高速フーリエ変換（Inverse Fast Fourier Transform：Ｎ  ＩＦＦＴ）ブロック４１５、並列−直列（parallel-to-serial：Ｐ−ｔｏ−Ｓ）ブロック４２０、サイクリックプレフィックス（cyclic prefix）付加ブロック４２５、及びアップコンバータ（up-converter：ＵＣ）４３０を含む。受信経路回路２５０は、ダウンコンバータ（down-converter：ＤＣ）４５５、サイクリックプレフィックス除去ブロック４６０、直列−並列（serial-to-parallel：Ｓ−ｔｏ−Ｐ）ブロック４６５、サイズＮ高速フーリエ変換（Fast Fourier Transform）ブロック４７０、並列−直列（Ｐ−ｔｏ−Ｓ）ブロック４７５、及びチャネル復号化及び復調ブロック４８０を含む。
【００４９】
図４Ａ及び図４Ｂのコンポーネントのうちの少なくとも一部は、ソフトウェアで具現されるが、他のコンポーネントは、構成可能なハードウェア又はソフトウェアと構成可能なハードウェアとの混合により具現される。特に、本明細書で説明されるＦＦＴブロック及びＩＦＦＴブロックは、構成可能なソフトウェアアルゴリズムで具現され、ここで、サイズＮの値は、実現に従って変更されることができることに留意する。
【００５０】
また、本発明は、高速フーリエ変換（Fast Fourier Transform）及び逆高速フーリエ変換（Inverse Fast Fourier Transform）を実現する実施形態に関するものであるが、これは、ただの例示であり、本発明の範囲を限定するものと解釈されてはならない。本発明の他の実施形態において、高速フーリエ変換関数及び逆高速フーリエ変換関数は、離散フーリエ変換（Discrete Fourier Transform：ＤＦＴ）関数及び逆離散フーリエ変換（Inverse Discrete Fourier Transform：ＩＤＦＴ）関数にそれぞれ容易に置き換えられると認識される。ＤＦＴ及びＩＤＦＴ関数に対して、Ｎ変数の値は、任意の整数（すなわち、１，２，３，４など）であり得、ＦＦＴ及びＩＦＦＴ関数に対して、Ｎ変数の値は、２の冪（すなわち、１，２，４，８，１６など）である任意の整数であり得ることが認識されるであろう。
【００５１】
送信経路回路４００において、チャネル符号化及び変調ブロック４０５は、情報ビットのセットを受信し、符号化（例えば、ＬＤＰＣ符号化）を適用し、入力ビットの変調（例えば、直交位相シフトキーイング（Quadrature Phase Shift Keying：ＱＰＳＫ）又は直交振幅変調（Quadrature Amplitude Modulation：ＱＡＭ））を行うことにより周波数ドメイン変調シンボルのシーケンスを生成する。直列−並列ブロック４１０は、直列変調されたシンボルを並列データに変換（すなわち、デマルチプレックス）することによりＮ個の並列シンボルストリームを生成し、ここで、Ｎは、ＢＳ１０２及びＵＥ１１６で使用されるＩＦＦＴ／ＦＦＴサイズである。その後に、サイズＮ  ＩＦＦＴブロック４１５は、Ｎ個の並列シンボルストリームに対するＩＦＦＴ動作を実行することにより時間ドメイン出力信号を生成する。並列−直列ブロック４２０は、サイズＮ  ＩＦＦＴブロック４１５からの並列時間ドメイン出力シンボルを変換（すなわち、マルチプルレックス）することにより直列時間ドメイン信号を生成する。その後に、サイクリックプレフィックス付加ブロック４２５は、サイクリックプレフィックスを時間ドメイン信号に挿入する。最後に、アップコンバータ４３０は、無線チャネルを通した送信のためにサイクリックプレフィックス付加ブロック４２５の出力をＲＦ周波数に変調（すなわち、アップコンバート）する。また、この信号は、ＲＦ周波数への変換の前に基底帯域でフィルタリングされる。
【００５２】
送信されたＲＦ信号は、無線チャネルを通過した後にＵＥ１１６に到達し、ｅＮＢ１０２とは反対の動作が実行される。ダウンコンバータ４５５は、受信された信号を基底帯域周波数にダウンコンバートし、サイクリックプレフィックス除去ブロック４６０は、サイクリックプレフィックスを除去することにより直列時間ドメイン基底帯域信号を生成する。直列−並列ブロック４６５は、時間−ドメイン基底帯域信号を並列時間ドメイン信号に変換する。その後に、サイズＮ  ＦＦＴブロック４７０は、ＦＦＴアルゴリズムを実行することによりＮ個の並列周波数ドメイン信号を生成する。並列−直列ブロック４７５は、並列周波数ドメイン信号を変調されたデータシンボルのシーケンスに変換する。チャネル復号化及び復調ブロック４８０は、変調されたシンボルを復調した後にデコーディングすることにより元来の入力データストリームを復旧する。
【００５３】
ｅＮＢ１０１乃至１０３の各々は、ユーザ装置１１１乃至１１６にダウンリンクでの送信と類似した送信経路を実現し、ユーザ装置１１１乃至１１６からのアップリンクでの受信と類似した受信経路を実現する。同様に、ユーザ装置１１１乃至１１６の各々は、ｅＮＢ１０１乃至１０３に対するアップリンクでの送信のためのアーキテクチャに対応する送信経路を実現し、ｅＮＢ１０１乃至１０３からのダウンリンクでの受信のためのアーキテクチャに対応する受信経路を実現する。
【００５４】
図５は、本開示の実施形態によるダウンリンク（ＤＬ）送信時間インターバル（ＴＴＩ）５００に対する例示的な構造を示す図である。図５に示すＤＬ  ＴＴＩ構造５００の実施形態は、例示のためのみのものである。他の実施形態は、本開示の範囲から逸脱せず使用されることもできる。
【００５５】
図５に示すように、ＤＬシグナリングは、直交周波数分割多重化（ＯＦＤＭ）を使用し、ＤＬ  ＴＴＩは、時間ドメインでのＮ＝１４のＯＦＤＭシンボルと周波数ドメインでのＫ個のリソースブロック（ＲＢｓ）とを含む。第１のタイプの制御チャネル（ＣＣＨｓ）は、送信がない（Ｎ１＝０）第１のＮ１  ＯＦＤＭシンボル５１０で送信される。残りのＮ−Ｎ１  ＯＦＤＭシンボルは、一次的にＰＤＳＣＨ５２０を送信するために使用され、ＴＴＩの一部のＲＢを通して第２のタイプのＣＣＨ（エンハンスドＣＣＨ（ＥＣＣＨｓ））５３０を送信するために使用される。
【００５６】
また、ｅＮＢ１０３は、１次同期信号（ＰＳＳ）及び２次同期信号（ＳＳＳ）を送信することにより、ＵＥ１１６がｅＮＢ１０３と同期し、セル識別を実行する。５０４個の固有な物理レイヤセルＩＤが存在する。物理レイヤセルＩＤは、１６８個の固有な物理レイヤセルＩＤグループにグループ化され、それぞれのグループは、３個の固有ＩＤを含む。グループ化は、それぞれの物理レイヤセルＩＤが唯一の１つの物理レイヤセルＩＤグループの一部となるようにする。物理レイヤセルＩＤ
【００５７】
【数１】
0006621818.tif 000002
【００５８】
は、それに従って、物理レイヤセルＩＤグループを示す０乃至１６７の範囲でナンバー
【００５９】
【数２】
0006621818.tif 000003
【００６０】
、及び物理レイヤセルＩＤグループ内の物理レイヤＩＤを示す０乃至２の範囲内のナンバー
【００６１】
【数３】
0006621818.tif 000004
【００６２】
で固有に定義される。ＰＳＳを検出することによりＵＥ１１６が物理レイヤＩＤだけでなくＰＳＳを送信するセルのスロットタイミングを決定できるようにする。ＳＳＳを検出することによりＵＥ１１６が無線フレームタイミング、物理レイヤセルＩＤ、周期的前置符号長さを決定できるようにするだけでなく、セルが周波数分割デュプレクス（ＦＤＤ）又は時分割デュプレクス（ＴＤＤ）方式を使用するようにする。
【００６３】
図６は、本開示の実施形態による共通基準信号リソースエレメント（ＣＲＳ  ＲＥ）マッピング６００のための例示的な構造を示す図である。図６に示すＣＲＳ  ＲＥマッピング６００の一実施形態は、例示のためのみのものである。他の実施形態は、本開示の範囲から逸脱せず使用されることもできる。
【００６４】
セル検索及び同期化をサポートするために、ダウンリンク（ＤＬ）信号は、１次同期信号（ＰＳＳ）及び２次同期信号（ＳＳＳ）のような同期信号を含む。同一の構造を有するとしても、少なくとも１つのスロット６２０を含むサブフレーム６１０内の同期信号の時間ドメイン位置は、セルが周波数分割デュプレクス（ＦＤＤ）で動作するか又は時分割デュプレクス（ＴＤＤ）で動作するか否かによって異なる。したがって、同期信号を取得した後に、ＵＥは、セルがＦＤＤで動作するか又はＴＤＤで動作するか、及びフレーム内のサブフレームインデックスを決定する。ＰＳＳ及びＳＳＳは、動作帯域幅のうち、リソースエレメント（ＲＥｓ）６５０とも呼ばれる中央の７２個のサブキャリアを占有する。追加で、ＰＳＳ及びＳＳＳは、セルに対する物理セル識別子（ＰＣＩＤ）について通知し、それに従って、ＰＳＳ及びＳＳＳを取得した後に、ＵＥは、送信セルのＰＣＩＤを認識する。
【００６５】
図７は、本開示の実施形態による１次同期信号／２次同期信号（ＰＳＳ／ＳＳＳ）７００に対する時間ドメイン位置の例示的なコンフィギュレーションを示す図である。図７に示す１次同期信号／２次同期信号（ＰＳＳ／ＳＳＳ）７００の時間ドメイン位置に対する一実施形態は、例示のためのみのものである。他の実施形態は、本開示の範囲から逸脱せず使用されることもできる。
【００６６】
図７に示すように、ＦＤＤの場合に、フレーム７０５ごとに、ＰＳＳ７２５は、サブフレーム０及び５（７１０及び７１５）の１番目のスロットの最後のシンボル内で送信され、ここで、１つのサブフレームは、２つのスロットを含む。ＳＳＳ７２０は、同一のスロットの２番目の最後のシンボル内で送信される。ＴＤＤの場合、フレーム７５５ごとに、ＰＳＳ７９０は、サブフレーム１及び６（７６５及び７８０）の３番目のシンボル内で送信され、ＳＳＳ７８５は、サブフレーム０及び５（７６０及び７７０）の最後のシンボル内で送信される。その差は、セルに対するデュプレクス方式の検出を考慮に入れる。ＰＳＳ及びＳＳＳに対するリソースエレメントは、任意の他のタイプのＤＬ信号の送信に使用可能でない。
【００６７】
米国連邦通信委員会（ＦＣＣ）は、無料のパブリックアクセススペクトルを提供する免許不要のキャリアを規定した。ＵＥによる免許不要のキャリアの使用は、免許されたキャリア上の通信にＵＥが目立つ干渉を生成せず、免許不要のキャリア上の通信が干渉から保護されないという前提下でだけ許容される。例えば、免許不要のキャリアは、ＩＳＭ（industrial,scientificandmedical）キャリア及びＩＥＥＥ８０２．１１装置が使用する免許不要の国家情報社会基盤（unlicensed national information infrastructure：ＵＮＩＩ）キャリアを含む。ＬＴＥ免許不要（ＬＴＥ−Ｕのような）又は免許アシストアクセス（ＬＡＡ）と知られている免許不要の周波数スペクトル上でＬＴＥ無線アクセス技術（ＲＡＴ）を使用することが可能であり得る。ＬＡＡに対して可能な展開シナリオは、ＬＡＡキャリアをキャリアアグリゲーションの一部として使用するものであり、ここで、ＬＡＡキャリアは、免許されたスペクトル上で他のキャリアとアグリゲートされる。
【００６８】
図８は、本開示の実施形態による免許スペクトル及び免許不要のスペクトル８００のための例示的なキャリアアグリゲーションを示す図である。図８に示すキャリアアグリゲーション構造８００の実施形態は、例示のためのみのものである。他の実施形態は、本開示の範囲から逸脱せず使用されることもできる。
【００６９】
ＬＴＥ無線アクセス技術（ＲＡＴ）が免許不要の周波数スペクトル（ＬＴＥ−Ｕ）上で使用される。このような状況において、ＬＴＥ−Ｕキャリアは、キャリアアグリゲーション方式の一部として使用され、ここで、ＬＴＥ−Ｕキャリアは、図８に示すように免許を受けたスペクトル上での他のキャリアとアグリゲートされる。従来の構成において、ＵＥ８３０に対して、免許を受けたスペクトル８１０上のキャリアは、１次セル（ＰＣｅｌｌ）として割り当てられ、免許不要のスペクトル８２０上のキャリアは、２次セル（ＳＣｅｌｌ）として割り当てられる。ＬＴＥ−Ｕキャリアと同一の免許不要のスペクトル８２０上で動作する他のＲＡＴがあり得るために、免許不要の周波数スペクトル８２０上のＬＴＥ−Ｕと他のＲＡＴの共存を可能にする必要がある。例えば、ＬＴＥ−Ｕ送信器とＷｉＦｉアクセスポイント（ＡＰ）のような他のＲＡＴの送信器との間のＴＤＭ送信パターンが実現される。
【００７０】
図９は、本開示の実施形態による免許アシストアクセス（ＬＡＡ）ダウンリンクキャリア上の送信パターンの例示的なコンフィギュレーションを示す図である。図９に示す免許アシストアクセス（ＬＡＡ）ダウンリンクキャリア９００上の送信パターンの一実施形態は、例示のためのみのものである。他の実施形態は、本開示の範囲から逸脱せず使用されることもできる。
【００７１】
図９に示すように、ＬＡＡキャリアは、期間Ｐ−ＯＮの間のオン（９２０、９３０のような）であり、期間Ｐ−ＯＦＦの間のオフ９４０である。ＬＡＡキャリアがオンである場合には、ＬＴＥ信号は、１次同期信号（ＰＳＳ）、２次同期信号（ＳＳＳ）、共通基準信号（ＣＲＳ）、復調基準信号（ＤＭＲＳ）、物理ダウンリンク共有チャネル（ＰＤＳＣＨ）、物理ダウンリンク制御チャネル（ＰＤＣＣＨ）、強化物理ダウンリンク共通チャネル（ＥＰＤＣＣＨ）、チャネル状態指示基準信号（ＣＳＩ−ＲＳ）のうちの少なくとも１つ、又はこれらの組み合せを含んで送信される。しかしながら、ＬＡＡキャリアがオフである場合には、ＬＴＥ信号は、送信されない。
【００７２】
オン期間９２０及び９３０（又は最大チャネル占有時間）は、規定で定義されたもののような最大デュレーション（例えば、１０ｍｓ）を有する。Ｐ−ＯＮ期間９２０、９３０の長さは、バッファ状態又はＬＡＡキャリアでのトラフィックパターン及び共存メトリック要件又はターゲットに従ってＬＡＡのスケジューラにより調整されるか又は適応される。ＷｉＦｉ  ＡＰ又は他のＲＡＴ送信器は、期間９４０にＬＡＡ干渉が存在しないので、送信のためにＰ−ＯＦＦ期間９４０を使用する。
【００７３】
ＬＢＴ（listen-before-talk）プロトコルが適用される場合に、チャネル占有の終了の後にアイドル期間が存在する（例えば、フレーム基盤装置）。例えば、チャネル占有の最小アイドル期間（例えば、５％）が特定される。アイドル期間は、キャリア感知がＵＥにより実行されるアイドル期間の終了に向けるクリアチャネル評価（ＣＣＡ）期間を含む。ＬＢＴプロトコルは、負荷基盤装置のために定義される。
【００７４】
ディスカバリ参照信号（ＤＲＳ）又はディスカバリ信号（ＤＳ）が免許不要のスペクトル上でＬＴＥセルにより送信される。ＤＲＳは、構成される場合に、ＰＳＳ、ＳＳＳ、ＣＲＳ、及びＣＳＩ−ＲＳのような物理信号を有する。免許不要のスペクトル上でのＬＴＥセルに対するＤＲＳの目的又は機能は、非限定的に、ＬＴＥセルのディスカバリ、ＬＴＥセルに対する同期化、及び無線リソース測定（ＲＲＭ）、及びＬＴＥセルのＣＳＩ測定値を含む。この後に、ＬＡＡ装置という用語は、ＬＡＡキャリア上で動作するｅＮＢ又はＵＥを意味する。
【００７５】
ＵＥは、上位レイヤによりサービングセル当たりの１つ以上のＣＳＩプロセスで構成される。それぞれのＣＳＩプロセスは、ＣＳＩ−ＲＳリソース及びＣＳＩ干渉測定（ＣＳＩ−ＩＭ）リソースと関連する。ＵＥにより報告されるＣＳＩは、上位レイヤにより構成されるＣＳＩプロセスに対応する。それぞれのＣＳＩプロセスは、上位レイヤシグナリングによりＰＭＩ／ＲＩ報告を通して構成されるか、又はＰＭＩ／ＲＩ報告なしに構成される。ＵＥは、サブフレームセットが上位レイヤにより構成される場合に、リソースが限定されたＣＳＩ測定値で構成される。ＣＳＩ報告は、周期的であるか又は非周期的である。ＵＥが１以上のサービングセルを通して構成される場合に、ＵＥは、そのＣＳＩ報告を活性化されたサービングセルだけで送信する。その結果、免許不要のスペクトルだけでなく免許を受けたスペクトル上でもＣＳＩ測定及び構成をする必要がある。本開示による実施形態は、免許不要のスペクトル上での動作に限定されず、厳しくなく免許を受けたスペクトル、免許を受けた共有スペクトルなどでの動作にも適用されることに留意すべきである。
【００７６】
所定の実施形態において、ＵＥは、サービングセル（例えば、ターゲットセル）又は免許不要の（例えば、ＬＡＡ）キャリアの暫定的なサービングセル上のＣＳＩ又はＲＲＭ測定値を作る時にサブフレームを測定する。一実施形態において、例えば、オンデュレーションの場合（例えば、タイプ１）、ＵＥは、サービング又はターゲットセルがＣＲＳ、ＣＳＩ−ＲＳ、ＤＲＳ、及び／又はＬＡＡプリアンブル信号を含む所定の（又は構成可能な）位置でＣＳＩを測定するためにサブフレームで１以上の信号を送信している時にサブフレームを測定する。他の実施形態において、例えば、ブランクを有するオフデュレーションの場合（例えば、タイプ２）、ＬＢＴ／ＣＣＡ動作によるか、又は何のトラフィックもＬＡＡキャリア上でスケジューリングされないために、ターゲット又は干渉セルからの何の送信もＣＳＩ測定の目的で検出されない。もう１つの実施形態において、例えば、干渉を有するオフデュレーションの場合（例えば、タイプ３）、サービング又はターゲットセルでない少なくとも１つのセルは、オンデュレーション干渉（例えば、ＬＢＴ／ＣＣＡしきい値の外での隠れたノード送信）を反映するか、又はＬＢＴプロトコルによりオンデュレーションの間に送信されていない現在の競合ノードのセットを示す１つ以上の信号を送信する。
【００７７】
ネットワークが異なるサブフレーム上でなされた測定を活用できるように、ＬＡＡ  ＣＳＩフレームワークは、ＬＡＡ  ＵＥが異なるサブフレームが同一のタイプに限定されるように測定を実行することができるようにするか、又はネットワークがＬＡＡ  ＵＥ報告を与えられたタイプに解析／マッピングを適切に行うことができるようにする。測定タイプを識別する長所は、測定の識別がタイプ１測定を用いてターゲットセルのＣＳＩ（チャネル品質指示／プリコーダマトリックス指示子／ランク指示子（ＣＱＩ／ＰＭＩ/ＲＩ））に対して適切な決定を可能にするだけでなく、タイプ２（例えば、ブランクを有するオフデュレーション）及びタイプ３（例えば、干渉があるオフデュレーション）状態に対する干渉測定（ＩＭ）を判定できるようにする。
【００７８】
所定の実施形態において、ＣＳＩ／ＩＭ測定値は、１つ以上の測定しきい値に基づいてタイプ２（例えば、ブランクを有するオフデュレーション）とタイプ３（例えば、干渉があるオフデュレーション）との間で識別される。例えば、構成された測定帯域幅（例えば、ＣＳＩ−ＲＳ／ＩＭＲリソース及び／又は全帯域幅）に対して測定された電力と関連したしきい値は、異なるタイプの測定値を識別するために使用される。これらの測定しきい値は、上位レイヤにより構成されるか、又は与えられた測定タイプに対して固定される。
【００７９】
一例において、タイプ３（例えば、干渉があるオフデュレーション）測定のための測定しきい値（例えば、ｍｅａｓＴｈｒｅｓｈＩＭ）は、−１０７ｄＢｍに設定され、測定電力とともに与えられたサブフレームでなされた任意のＩＭ測定値は、ＣＳＩ報告の時に、タイプ３（例えば、干渉があるオフデュレーション）測定で分類されたｍｅａｓＴｈｒｅｓｈＩＭ値より大きいか又は同一であり、その値未満の測定値は、タイプ２測定（例えば、ブランクを有するオフデュレーション）のような他の測定タイプとして分類されるか、又はＣＳＩ／ＩＭ測定及び後続の報告の一部として含まれない。
【００８０】
所定の実施形態において、正確度を改善するために複数のＣＳＩ／ＩＭ測定値が複数のタイムインスタンスにわたって平均化され、ＵＥが複数のサブフレーム平均化をサポートするように構成される場合に、その測定しきい値は、平均化の目的で考慮される測定値のセットを改善するために追加で使用される。例えば、与えられたしきい値の範囲内にないタイプ２測定値は、平均化フィルタから除外され、後続のＣＳＩ報告から除外される。そのような実施形態において、測定しきい値は、サブフレームセットの異なる測定タイプに対して個別に構成されるが、１つの測定しきい値は、１つ以上の測定タイプ又はサブフレームセットにも適用される。
【００８１】
所定の実施形態において、複数のサブフレームにわたって異なるタイプを測定するために、ＵＥは、ＣＳＩ測定のために１つ以上の動的サブフレームセットで構成される。一例において、サブフレーム測定セットは、異なる測定タイプ（例えば、タイプ１、タイプ２、又はタイプ３）に対応する。一実施形態において、サブフレームセットは、１つ以上の測定タイプに対応する。他の実施形態において、サブフレームセットは、他の対応サブフレームセットに対して直交する。もう１つの実施形態において、サブフレームセットは、１つ以上のサブフレームに対する他の構成サブフレームセットとオーバーラップする。もう１つの実施形態において、１つ以上の測定しきい値は、与えられたサブフレームセットに対応する。
【００８２】
所定の実施形態において、サブフレームセットは、上位レイヤシグナリング（例えば、無線リソース制御（ＲＲＣ）又はシステム情報ブロック（ＳＩＢ））により、ビットマップを使用するか、又は１つ以上のフレームのうちで与えられた期間の外でどのサブフレームがサブフレームセットに含まれるかを定義する組合せ表現を用いて構成される。そのような実施形態において、サブフレームセットの応用性が所定の又は半静的な（例えば、ＲＲＣ又はＳＩＢ）又は動的な（例えば、物理レイヤシグナリング）方式で示される。例えば、ダウンリンク制御情報（ＤＣＩ）の１つ以上のビットが１つ以上のＣＳＩタイプのＣＳＩ測定を実行するためにどのサブフレームセットがＵＥに適用可能であるかを示す。ＣＳＩサブフレームセットは、与えられたＵＥのすべてのアクティブキャリアに適用されるか、又はＵＥがＣＳＩ測定を実行するように構成されるキャリアの個別又はサブセットに適用される。追加で、上位レイヤ又は物理レイヤシグナリングは、ＵＥ固有の方式で適用されるか、又はＵＥのグループに共通である。
【００８３】
所定の実施形態において、ＬＡＡ物理レイヤは、フレーム基盤デザインに従って設計される。このような実施形態において、ＣＳＩ測定パターンは、レガシーフレームワークと類似した決定論的なサブフレームパターンに従い、干渉測定のために所定の位置及びサブフレームで知られているＣＳＩに対して使用されるＲＳの位置も固定された構造に従う。また、そのような実施形態において、ＣＳＩ基準サブフレームに基づくＵＥ測定のタイミングが“状態”（例えば、ＯＮ又はＯＦＦ）に関する明確な知識をｅＮＢに提供する。ＣＳＩ基準サブフレームは、上位レイヤにより事前に構成されるか又は示される。ＣＳＩサブフレームセットが構成される場合に、ＣＳＩサブフレームは、暫定的なＣＳＩ基準サブフレーム及び関連したＣＳＩサブフレームセットの交差により決定される。
【００８４】
所定の実施形態において、ＬＡＡ物理レイヤは、負荷基盤デザインに従って設計される。そのような実施形態において、ＣＳＩ基準又は測定サブフレームは、ｅＮＢがチャネルにうまくアクセスするか否かによっている。このような動作は、チャネルアクセス及び後続のＣＳＩトリガーリングに対してＵＥへの指示を提供することにより実行される。このような指示動作は、物理レイヤシグナリング（例えば、ＤＣＩ）のような動的シグナリングにより実行される。
【００８５】
所定の実施形態において、ｅＮＢ送信のブラインド検出（例えば、プリアンブル、ＤＲＳ、又は１つのサブフレーム内の１つ以上の所定の位置でセル固有のＲＳのようなｅＮＢからの他の物理レイヤ信号）は、ＣＳＩ測定が開始される場合を決定するために必要とされる。そのような実施形態において、ＵＥは、そのようなチャネル占有信号の存在をｅＮＢから絶えず盲目的に検出する。しかしながら、より効率的な動作、電力効率性を提供し、誤検知又は偽陽性の可能性を減少させるために、ネットワークは、ＣＳＩ測定がオンデュレーションとオーバーラップするものと予想される期間を用いてＵＥを構成する。そのような実施形態において、ＣＳＩ測定ウィンドーは、１つ以上のＬＡＡスロット、サブフレーム、又はフレームを有する。測定ウィンドーの総デュレーションは、固定されたデュレーションであるか、オンデュレーションの開始と関連して可変できる。測定ウィンドー内のサブフレームは、複数のＣＳＩ測定タイプ（例えば、タイプ１、タイプ２、及びタイプ３）を含む。どのサブフレームが測定ウィンドー内で異なるタイプに対応するかは、所定のパターンに従うか、又はＬＢＴのような適時的（opportunistic）なスペクトルアクセスメカニズムの使用により可変的である。
【００８６】
図１０は、本開示の実施形態による免許アシストアクセス（ＬＡＡ）キャリア１０００上の固定デュレーションチャネル状態指示（ＣＳＩ）測定ウィンドーの例示的なコンフィギュレーションを示す図である。図１０において、免許アシストアクセス（ＬＡＡ）キャリア１０００上の固定デュレーションチャネル状態指示（ＣＳＩ）測定ウィンドーの実施形態は、例示のためのみのものである。他の実施形態は、本開示の範囲から逸脱せず使用されることもできる。
【００８７】
図１０に示すように、免許アシストアクセス（ＬＡＡ）キャリア１０００上の単一キャリアに対する固定デュレーションチャネル状態指示（ＣＳＩ）測定ウィンドーは、測定ウィンドー１００２内で固定デュレーションを有する５個のサブフレームを有する。ＵＥは、所定の又は構成された信号構造（例えば、プリアンブル、ＤＲＳ、又はＣＳＩ−ＲＳ）の検出に基づいて第１のサブフレームを通してｅＮＢ送信１００６の開始があるサブフレームを検出する。ＵＥが測定ウィンドー１００２内で異なるサブフレームタイプに適用することがどの測定タイプであるかは、上述したような測定しきい値の適用に基づく。また、測定ウィンドー１００２は、ブランクサブフレーム１００４及び正常フレーム１００８を含む。より具体的に、ＣＳＩ−ＲＳは、正常フレーム１００８に選択的に付加される。
【００８８】
図１１は、本開示の実施形態によるＬＡＡキャリア１１００上の可変デュレーションＣＳＩ測定ウィンドーの例示的なコンフィギュレーションを示す図である。図１１に示すＬＡＡキャリア１１００上の可変デュレーションＣＳＩ測定ウィンドーの一実施形態は、例示のためのみのものである。他の実施形態は、本開示の範囲から逸脱せず使用されることもできる。
【００８９】
図１１に示すように、免許アシストアクセス（ＬＡＡ）キャリア１１００上の単一キャリアに対する可変デュレーションチャネル状態指示（ＣＳＩ）測定ウィンドーは、測定ウィンドー１１０２内で可変デュレーションを有する６個のサブフレームを有する。ＵＥは、所定の又は構成された信号構造（例えば、プリアンブル、ＤＲＳ、又はＣＳＩ−ＲＳ）の検出に基づいて第１のサブフレームを通してｅＮＢ送信１１０６の開始があるサブフレームを検出する。ＵＥが測定ウィンドー１１０２内で異なるサブフレームタイプに適用することがどの測定タイプであるかは、上述したような測定しきい値の適用に基づく。また、測定ウィンドー１１０２は、ブランクサブフレーム１１０４及び正常フレーム１１０８を含む。より具体的に、ＣＳＩ−ＲＳは、正常フレーム１１０８に選択的に付加される。
【００９０】
上述したように、単一キャリアに対するＣＳＩ測定ウィンドー１１０２は、オン期間１１０６の検出に左右される可変デュレーションを含む。ｅＮＢのオン期間１１０６の開始が検出される場合に（例えば、プリアンブル、ＤＲＳ、ＣＳＩ−ＲＳ、ＣＲＳ、又は他の信号）、ＵＥは、５個のサブフレームの可変デュレーションの間にＣＳＩ測定を適用する。測定ウィンドー１１０２のデュレーションは、完全に可変的であるか、又は上位レイヤシグナリングにより予め定義されるかまたは構成される最小及び最大デュレーションにより制約される。追加で、オン期間の測定は、値のセット又は上位レイヤシグナリングにより予め構成されるかまたは構成される最小及び最大デュレーションにより制約される。
【００９１】
ＣＱＩ算出のための干渉測定値も正確度のために測定ウィンドー１１０２に限定されるが、チャネル占有又は長期間の干渉に対する測定値は、制限される必要がない。測定ウィンドー１１０２の時間位置指示は、上位レイヤシグナリングにより構成され（例えば、構成されたディスカバリ測定タイミング構成（ＤＭＴＣ）又は新たなＣＳＩ測定ウィンドータイミング構成（ＣＭＷＴＣ）に基づく）、周期的なパターン又は非周期的なパターンに従う。一実施形態において、時間位置指示は、物理レイヤシグナリングにより提供される（例えば、ＤＣＩ）。
【００９２】
所定の実施形態において、周期的な又は非周期的なＣＳＩ測定に対するトリガーリングは、ＬＡＡ  ＣＳＩフィードバックのためにサポートされる。免許されたキャリアに対して、ＣＳＩ報告は、周期的であるか又は非周期的である。しかしながら、ネットワークがＬＡＡで適時にＣＳＩフィードバックを取得するための特有の難題が存在する。例えば、ＣＳＩ測定のために使用されるＲＳが非常に低密度で送信されるか又はｅＮＢがＬＢＴのように規制要件を満足させるチャネルの取得に成功する時に適時的にだけ送信される。ｅＮＢが十分な周波数でチャネルへのアクセスに失敗する場合に、報告されたＣＱＩ（例えば、周期的なＣＱＩ）は、時代遅れでネットワークに役立たない。同様に、上述したように、干渉測定もネットワーク状態により差別化される必要がある。例えば、測定のために活用されたリソースがｅＮＢから進行中の送信バーストの外側にあると判定される場合には、ＵＥは、干渉測定を報告しないことがある。このような実施形態において、ネットワークがＣＳＩ測定のためのリソースだけでなく報告条件（例えば、測定しきい値）を示すようにするメカニズムは、日和見的なチャネルアクセス及び動的干渉レベルを収容するために可能な解決法である。
【００９３】
一実施形態において、ＣＳＩ報告は、アップリンク（ＵＬ）サブフレームｎで送信され、このとき、ＣＳＩ基準は、ｎ−ｎＣＳＩｒｅｆである。そのような実施形態において、ｎＣＳＩｒｅｆは、固定値でなくＣＳＩ測定ウィンドー内の１番目のＬＡＡ送信によっている。これは、ＣＳＩ測定ウィンドーの終了の前に遅延ないＣＳＩフィードバックを提供するのに有益である。
【００９４】
他の実施形態において、ＣＳＩ報告は、測定ウィンドーの開始又は終了と関連した固定オフセットであるＵＬサブフレームｎで送信される。１つの例において、ＵＥは、常に測定ウィンドーの終了の後に１番目のＵＬサブフレームでＣＳＩを報告する。他の例において、ＵＥは、常に測定ウィンドーの開始の後にｔ−ｘでＵＬサブフレームｘでＣＳＩを報告する。これは、ｅＮＢが、ＵＥ報告及び様々な報告のバンドリングが容易に収容されると予想される時を正確に認識するという長所がある。そのような例において、ＵＥは、１つ以上のサブフレームにわたった測定ウィンドーの間に複数のＣＳＩ報告を行い、その報告は、バンドルされ、測定ウィンドーの後に単一のＣＳＩ報告インスタンスを用いて送信される。もう１つの例において、ＣＳＩ報告は、ＣＳＩ測定報告のタイプに基づいて異なる報告で送信される。
【００９５】
ＵＥは、ＣＳＩ測定の目的で非限定的な観察を行うことができる。しかしながら、他の代案として、ＵＥは、ＣＳＩ報告を送信する前に単一のＣＳＩウィンドー内の測定値だけ平均化されるか又はプリアンブルの検出のような１つ以上の条件を満足しなければならない。ターゲットＬＡＡ使用（例えば、低い移動性を有する小型セル）において、ＣＱＩは、非常に半静的であり、特に、ＬＢＴを使用する時にはさらにそうである。ここで、オンデュレーションは、ＣＣＡ及びバックオフによる最強の干渉に対して自由であると予想される。その結果、２０ｍｓ又は４０ｍｓのＣＳＩ報告も、来るオンデュレーション内のＵＥの少なくとも“コールドスタート”スケジューリングにおいて十分である。
【００９６】
ＵＥは、ＣＳＩ報告がｅＮＢに提供されると予想される時間期間で構成される。しかしながら、ＵＥがそのような‘周期的’ＣＳＩ報告をしなければならない場合には、どのくらい最近にＬＡＡキャリアが使用されたかについて条件付きとなる。このような報告の条件付き送信は、多くの暫定的なＬＡＡ  ＣＣが報告オーバーヘッドを減少させるのに使用可能な場合には、これを導入することが有利である。一例において、前に送信された報告と比較してＣＳＩ報告測定のデルタが構成されたしきい値未満である場合には、ＵＥは、アップデートされた報告を送信しない。他の例において、ＵＥが時間期間Ｘ内でＬＡＡ  ＣＳＩ報告を行い、ｅＮＢが期間Ｘ内でオンデュレーションの間に送信している場合には、ＵＥは、ネットワークに提供された最後の報告がやはり有効であると見なされるので、追加のＣＳＩ報告を提供しない。期間Ｘの間に、ｅＮＢは、構成されたＣＳＩ測定サブフレームを送信しないように選択するか又はシグナリングし、ＵＥは、いかなる追加のＣＳＩ測定を行うものと期待されない。時間期間Ｘが超過すると、構成されたＣＳＩ送信及び測定動作がｅＮＢ及びＵＥで再開される。
【００９７】
もう１つの実施形態において、周期的なＣＳＩ測定で構成されたＵＥは、与えられたＣＳＩプロセスの構成されたＣＳＩ測定サブフレームの交差がＣＳＩのために使用されるＲＳ（例えば、ＣＲＳ、ＣＳＩ−ＲＳ、又はＤＲＳとして構成されたＣＲＳ／ＣＳＩ−ＲＳ）の検出された送信と同時に起きる時のみ、測定及び後続の報告を実行する。周期的な干渉測定の一例において、サブフレームは、セルの状態に関係なく、（例えば、ＣＳＩ−ＩＭ構成及び対応するＺＰ  ＣＳＩ−ＲＳに基づく）構成されたサブフレーム及びＲＥに従って測定される。他の例において、構成された状態（例えば、オン、オフ＋ブランク、オフ＋干渉、ＬＢＴ、隣接セル、又はＲＡＴタイプ）が検出されるときのみに周期的な干渉測定が行われ報告される。
【００９８】
図１２は、本開示の実施形態による周期的であり非周期的なディスカバリ基準信号／ＣＳＩ基準信号（ＤＲＳ／ＣＳＩ−ＲＳ）の場合１２００の例示的なコンフィギュレーションを示す図である。図１２に示す周期的であり非周期的なディスカバリ基準信号／ＣＳＩ−基準信号（ＤＲＳ／ＣＳＩ−ＲＳ）の場合１２００の実施形態は、例示のためのみのものである。他の実施形態は、本開示の範囲から逸脱せず使用されることもできる。
【００９９】
図１２に示すように、周期的であり非周期的なディスカバリ基準信号／ＣＳＩ−基準信号（ＤＲＳ／ＣＳＩ−ＲＳ）の場合１２００は、ＬＡＡセル１  １２３０及びＷｉＦｉ  ＡＰ１２４０を含む。より具体的に、ＬＡＡセル１  １２３０は、ＣＳＩ−ＲＳ１２０６を通したＤＲＳだけのバーストを含むサブフレーム、ＬＢＴによりドロップされるサブフレーム１２０８、及びヘッダー及びＤＬ  Ｔｘバースト１２１０にＣＲＳ／ＣＳＩ−ＲＳを含むサブフレームを有する。より具体的に、ＤＭＴＣオケージョン１２０４は、ＤＭＴＣ期間１２０２の間に発生する。また、ＷｉＦｉ  ＡＰ１２４０は、複数の送信１２４２を含む。ＤＲＳの機能は、ＣＳＩ測定をサポートするように拡張され、ＤＲＳ送信は、図１２に示すように、ＵＥでより頻繁にＣＳＩ測定機会を提供するのに有利である。
【０１００】
一実施形態において、図１２に示すように、サブフレーム１２０６でのＣＲＳ／ＣＳＩ−ＲＳは、常に、ＰＤＳＣＨ及びＤＲＳがＤＭＴＣの外で多重化される場合を含んで、ＤＭＴＣ期間１２０２内のＤＬ送信バーストの開始の時に送信される。ＣＲＳ／ＣＳＩ−ＲＳを１番目のサブフレーム１２０６を通して提供することは、遅延が減少されたＣＳＩフィードバックだけでなく免許不要のキャリア上の時間／周波数同期を得るための追加の長所を提供する。
【０１０１】
他の実施形態において、ＣＳＩ測定メカニズムの様々な組み合せのサポート及び／又は構成がなされる。上述したように、２種類の非周期的なＣＳＩ方式に加えて、５ｍｓの周期的な測定が構成される（例えば、ＣＳＩは、サブフレーム０又は５がＤＬ送信バーストに対応する度に報告される）。一例において、次のようなＣＳＩ方式（例えば、方式の組み合せ）が考慮される：１）周期的なＣＳＩ（例えば、示されたサブフレームがＤＬ送信バースト内の成功的なサブフレームに対応する度に５ｍｓ）、２）周期的なＣＳＩ＋送信に成功したすべてのＤＲＳオケージョンごとにＣＳＩが測定される（例えば、４０ｍｓのＤＭＴＣ、１サブフレームデュレーション＋ＣＳＩ−ＲＳ構成）。３）すべてのＤＬ送信バーストの１番目のサブフレームで測定されたＣＳＩ、４）１番目のサブフレーム＋ＤＲＳ、及び５）周期的なＣＳＩ＋１番目のサブフレーム＋ＤＲＳ。
【０１０２】
そのような実施形態において、免許不要のキャリア上でＣＳＩ測定機会の回数を増加させるために相当な長所が期待され、特に、バーストの１番目のサブフレームでのＣＳＩの測定のような非周期的な機会の場合、及びＣＳＩ測定がＤＲＳオケージョンに拡張される場合にもそうである。これは、ＬＢＴにより、ＣＳＩ測定報告の間の間隔（例えば、周期的に構成される場合でも）は、可変的であり、トラフィックロードとともにレイテンシ（待機時間）が増加する。また、チャネル及び干渉測定は、重複又は非重複的な測定インスタンスに対応する。一例において、干渉測定は、ＤＬ送信バースト（例えば、バーストの１番目のサブフレーム又は最後のデコーディングされたサブフレーム）の間のみ実行され、ＤＲＳ又はＤＬ送信バーストの外側の送信の間には実行されない一方、チャネル測定は、ＤＲＳ又はＤＬ送信バースト内外の非周期的又は周期的なＣＳＩオケージョンに対して実行される。
【０１０３】
所定の実施形態において、ＣＡ能力を超過する暫定的なＬＡＡキャリア（例えば、５ＧＨｚ帯域上で２ＣＣケーパビリティを有するＵＥに対して１０個の２０ＭＨｚキャリア）がＵＥに対して構成される。これらのキャリアがＵＥの観点ではアクティブされないので、ＣＳＩ測定は実行されない。しかしながら、ネットワークは、動的なキャリア選択を実行するために、ＵＥがそれらのキャリア上でＣＳＩ測定の実行を希望する。この場合に、与えられたＬＡＡキャリアに対して構成されたＣＳＩプロセスは、非活性化されたＳＣｅｌｌが構成される限り、そのキャリア上で何のＳＣｅｌｌもアクティブされない場合でもＣＳＩ測定に対して適用可能である。これとは異なり、そのＬＡＡキャリア上でＵＥに対して何のＳＣｅｌｌが構成されなくても、ネットワークがＣＳＩ測定及び報告のために、半静的（例えば、ＲＲＣ）又は動的（例えば、ＤＣＩ）トリガーリングメカニズムだけではなくＣＳＩプロセス構成も提供する。このような構成は、与えられたＬＡＡキャリアに対する測定客体の一部として上位レイヤシグナリングにより追加で提供される。
【０１０４】
所定の実施形態において、ＣＳＩ測定ギャップは、１つ以上のＬＡＡキャリアに対して追加で構成される。構成されたＬＡＡキャリアのセットに対して、ＵＥは、ＵＥが測定を実行することができるか又はアクティブされる最大個数のＣＣまで共通測定ウィンドーを適用する。ＵＥは、与えられたギャップ期間の間にＣＳＩを測定するためにどのキャリアがＣＣのスライディングウィンドーへのアクセス又は活用に成功したか否かにより、複数のキャリアに対するＣＳＩフィードバックをバンドリングする。ＣＳＩ測定ギャップは、上位レイヤにより予め構成されるか又はパターン指示がなされた複数の測定ウィンドーインスタンスでのキャリアにわたって回転する単一の測定ウィンドーに対応する。代案的な測定ギャップは、複数の測定ウィンドーの上位セットに対応する。
【０１０５】
図１３は、本開示の実施形態による複数のＬＡＡキャリアにわたったＣＳＩ測定ウィンドー及び測定ギャップに対する例示的なコンフィギュレーションを示す図である。図１３に示す複数のＬＡＡキャリア１３００にわたった測定ギャップ及びＣＳＩ測定ウィンドーの一実施形態は、例示のためのみのものである。他の実施形態は、本開示の範囲から逸脱せず使用されることもできる。
【０１０６】
図１３に示すように、複数のＬＡＡキャリア１３００にわたった測定ギャップ及びＣＳＩ測定ウィンドーは、複数のＬＡＡキャリア（ＣＣｓ）１３０２、１３０４、１３０６、１３０８、測定ギャップ１３１０、測定ウィンドー１３１２、ブランクサブフレーム１３１４、及びオンフレームの開始とともにするサブフレーム１３１６を有する。また、ＬＡＡキャリア１３０４は、ネットワークへのＣＳＩ報告を実行しない。
【０１０７】
図１３に示すように、測定ウィンドーの上位セットは、ＣＳＩ測定ギャップ１３１０に対応する。ＵＥは、まず、ＬＡＡ  ＣＣ１  １３０２及びＬＡＡ  ＣＣ２  １３０４に対する測定を行い、測定条件によりＣＳＩ測定報告を提供する。その後に、１番目の測定ウィンドーの終了で、ＵＥは、ＬＡＡ  ＣＣ３  １３０６及びＬＡＡ  ＣＣ４  １３０８に対する測定を行い、測定報告条件が満足するかにより１つ以上のＣＳＩ報告を提供する。これとは異なり、ＵＥは、測定ウィンドー１３１２の間に測定された複数のＬＡＡ  ＣＣ１３０２、１３０４、１３０６、１３０８に対して測定ギャップ１３１０の終了の後にすべてのＣＳＩ報告を提供する。測定ウィンドー１３１２のタイミングは、上位レイヤ、及び上位レイヤ又はダイナミック物理レイヤシグナリングによるトリガーリングにより提供される。上位レイヤ測定ギャップ構成は、複数の測定ウィンドー１３１２及び／又は測定のための複数のＬＡＡ  ＣＣ１３０２、１３０４、１３０６、１３０８に対する指示に対応する。複数のＬＡＡ  ＣＣ１３０２、１３０４、１３０６、１３０８は、上位レイヤ構成に従って、上位レイヤにより構成された測定パターンも用いて１つ以上の測定ウィンドー１３１２にわたってバンドリングされる。上述した実施形態は、ＤＬ  ＣＳＩ測定だけでなくＵＬにも適用され、サービングｅＮＢに対するＵＬ測定及び報告のためのＣＳＩリソースに対する指示に拡張されることにも留意すべきである。
【０１０８】
所定の実施形態において、ＣＳＩ測定だけではなくＤＲＳに基づくＲＲＭ測定が考慮される。一例において、ＤＲＳ  ＲＲＭ設計を免許不要のキャリアまで拡張して、ネットワークは、構成されたＤＭＴＣをＵＥに対する適時的な検出／測定ウィンドーとして活用する。測定ウィンドー内で、ＵＥは、セルがチャネルへのアクセスに成功でき、ＤＲＳオケージョンを送信できるか否かを検出しなければならず、その後に、ＲＲＭ測定（例えば、基準信号受信電力／基準信号受信品質／基準信号強度指示子（ＲＳＲＰ／ＲＳＲＱ／ＲＳＳＩ））を実行しなければならない。また、ＤＲＳが測定されるか否かが測定報告のタイプ又は測定報告に対する送信があるか否かに影響を及ぼす。
【０１０９】
他の例において、ＤＲＳ送信がないサブフレーム上での測定は、ＤＲＳ送信が検出されたサブフレームでの測定と差別化される。ＵＥは、両方又は１つのタイプの測定値だけの測定及び／又は報告を行うように構成される。上述したセルディスカバリと類似して、低デューティサイクルの周期的なＤＲＳは、ＬＡＡ  ＲＲＭが十分であり信頼性ある測定機会を保証するようにする長所がある。しかしながら、ＤＲＳは、チャネルアクセスメカニズムにより、固定インターバルで周期的に送信されるか又は非周期的な方式で送信される。その結果、ネットワークがＲＲＭ測定のためにどのリソースがＵＥにより使用されるかを示すためのメカニズムが必要である。
【０１１０】
一実施形態において、現在のネットワーク状態により報告の測定に対する使用可能性が変わるために、トリガーリング及び報告フレームワークがＬＡＡのために改善する必要がある。一例において、ＤＲＳの‘注文による（on-demand）’送信をサポートするために、ネットワークによりＤＭＴＣウィンドー又は現在のＤＲＳオケージョンのために使用される正確なリソースに対する非周期的な指示のような補助シグナリングが提供される。他の例において、ＲＳＳＩは、干渉のメトリックとして機能し、ＲＳＲＰ及びＲＳＲＱ報告からＲＳＳＩを推定することが可能である。しかしながら、ＬＡＡ測定信号がキャリア上に送信されない場合には、ＲＳＲＰ及びＲＳＲＱ報告は、ＬＡＡキャリアに対して使用可能でない。測定手順の拡張のような暫定的な干渉測定強化事項がＵＥ  ＲＳＳＩ報告を含まなければならないか否かに従ってＬＡＡキャリアに対して有利さがある。
【０１１１】
他の例において、ＤＲＳが測定ウィンドー内で送信される場合に（例えば、測定ウィンドーがＬＡＡ  ＤＭＴＣとして構成される場合に）、ＵＥは、ＲＳＲＰ、ＲＳＲＱ、及び／又はＲＳＳＩを報告する。内部のＤＲＳオケージョン）に対するもう１つの例において、ＤＲＳオケージョンが逃される場合に（例えば、ＬＢＴにより）、ＲＳＳＩ測定だけが有効である。しかしながら、外部のＤＲＳオケージョン（例えば、外部のＤＭＴＣ）、ＲＳＳＩ測定は、チャネル選択（例えば、周波数間）及び隠されたノード検出（例えば、周波数内）に有用である。
【０１１２】
所定の実施形態において、ＬＡＡは、１つ以上のＷｉＦｉノードと共有される１つ以上のキャリア上で動作する。そのような実施形態において、これらのキャリア上での８０２．１１基盤チャネルボンディングを用いて動作するＷｉＦｉノードで、チャネルボンディングが隣接したキャリア（例えば、４０、８０、又は１６０ＭＨｚ  ＢＷが隣接した２、４、又は８個の２０ＭＨｚチャネルに基づく）を活用するために、隣接したチャネル活用は、時間に沿って非常に相関性がある。マルチキャリアＲＲＭ測定の一実施形態において、１次ＷｉＦｉチャネルは、ＷｉＦｉビーコン検出又は可能な場合に長期間測定（例えば、ＲＳＳＩ）により識別される。１次チャネルは、共存に対して確認するために重要であり、これは、１次チャネルがフォールバックのために使用され、ＬＢＴ手順がキャリア上で開始されるためである。
【０１１３】
他の実施形態において、チャネルボンディングモードで動作するＷｉＦｉノードとの共存を保証するために、ＬＡＡモードは、競合ノード（例えば、２、４、又は８個の２０ＭＨｚキャリア）の検出ＢＷに基づいてＲＲＭ／ＣＳＩ測定のための免許不要のキャリアグループを構成する。これらのキャリアグループ測定に基づく報告が有利である理由は、その報告がチャネルボンディング動作の検出を可能にし、チャネルボンディングのためにＷｉＦｉノードにより使用されているキャリアを避けるＬＡＡに対するチャネル選択を可能にするか、又はマルチキャリアＬＢＴ手順で使用されるＬＢＴパラメータの設定を助けるためである。
【０１１４】
そのような実施形態において、キャリアグループ測定を構成するために、ＲＲＣ又は他の上位レイヤシグナリングが１つ以上のキャリアインデックスをＲＲＭキャリアグループと連関させる。そのような構成の後に、ＲＲＭキャリアグループ測定をトリガーリングする物理レイヤ又は上位レイヤが、ＲＲＭキャリアグループ内のすべてのセルにわたった測定を示すキャリアグループインデックスをシグナリングする。ＲＲＭキャリアグループトリガーリングは、‘ワンショット（one-shot）’測定として適用され、ここで、ＵＥは、そのシグナリングに基づいて非周期的にＲＲＭ測定値を報告する。一例において、ＲＲＭ測定トリガーリングは、周期的な測定構成（例えば、４０ｍｓごとに、又は構成されたＤＭＴＣに基づいて）に基づく。そのような実施形態において、ＲＲＭキャリアグループにわたった相関した測定の長所を取るために、ＵＥは、グループ内の複数のキャリアのＢＷにわたった測定のフィルタリング／アグリゲートを行う。これは、測定のオーバーヘッドを減少させ、ＵＥ処理要件を減少させるのに有用である。
【０１１５】
他の実施形態において、ＵＥは、ＲＲＭキャリアグループ内で構成されたキャリアのすべてにわたった測定のアグリゲートであるＲＲＭキャリアグループに対する１つの測定値を提供する。
【０１１６】
もう１つの実施形態において、ＵＥは、グループ内のすべてのキャリアに対する測定を代表する（例えば、１次）１つの測定値を提供する。一例において、ＵＥのみが隣接したＷｉＦｉノードの１次キャリアに対応するものと識別されるキャリアグループ内のキャリアのうちの１つに対する測定を提供する。他の例において、代表キャリアは、上位レイヤシグナリングにより示されるか又は構成された測定しきい値に基づいてＵＥにより選択される。
【０１１７】
もう１つの実施形態において、ＵＥは、代表キャリアに対する測定に加えて非代表キャリア（例えば、隣接したＷｉＦｉノードの２次チャネルに対応するキャリア）に対するデルタ測定を提供する。これは、デルタ測定が代表測定よりはるかに低い粒度で数量化となるために、測定オーバーヘッドを減少させるのに有利である。一例において、キャリアグループＡが４個の２０ＭＨｚキャリアを含む場合に、ＵＥは、代表キャリアに対して−９２ｄＢｍの測定ＲＳＳＩ値を報告し、ＲＲＭキャリアグループの残りの３個の非１次的なキャリアに対して｛−１，０，＋２｝ｄＢｍの値を示す。
【０１１８】
そのような実施形態において、ＵＥは、キャリアにわたった１つ以上の測定値がレイヤ１（Ｌ１）又はレイヤ３（Ｌ３）フィルタリングのために上位レイヤに提供されるか否かを示すために構成された測定しきい値を有する。このようなしきい値は、それぞれのキャリアごとに独立しているか、又は１つの共通しきい値がグループ内のすべてのキャリアに対して構成される。
【０１１９】
本開示は、例示的な実施形態とともに説明されたが、様々な変更及び修正が当業者に提案されてもよい。本開示は、そのような変更及び修正が特許請求の範囲の記載及びこれと均等なものの範囲内で定められるべきものである。
【０１２０】
本願の内容は、特定の要素、ステップ、又は機能が特許請求の範囲に含まれなければならない必須の構成要素を意味すると解釈されてはいけない。特許対象の範囲は、許可された特許請求の範囲によってのみ定義される。
【符号の説明】
【０１２１】
１００  無線ネットワーク
１１１  ユーザ装置
１１６  ユーザ装置
１２０  カバレッジエリア
１２５  カバレッジエリア
１３０  ネットワーク
２０５  多重アンテナ
２１０  送受信器
２１５  処理回路
２２０  処理回路
２２５  プロセッサ
２３０  メモリ
２３５  インターフェース
３０５  アンテナ
３１０  送受信器
３１５  処理回路
３２０  マイクロフォン
３２５  処理回路
３３０  スピーカ
３４０  プロセッサ
３４５  出力（Ｉ／Ｏ）インターフェース（ＩＦ）
３５０  タッチスクリーン
３５５  ディスプレイ
３６０  メモリ
３６１  オペレーティングシステムプログラム
３６２  アプリケーション
【図１】
0006621818.tif 000005
【図２】
0006621818.tif 000006
【図３】
0006621818.tif 000007
【図４Ａ】
0006621818.tif 000008
【図４Ｂ】
0006621818.tif 000009
【図５】
0006621818.tif 000010
【図６】
0006621818.tif 000011
【図７】
0006621818.tif 000012
【図８】
0006621818.tif 000013
【図９】
0006621818.tif 000014
【図１０】
0006621818.tif 000015
【図１１】
0006621818.tif 000016
【図１２】
0006621818.tif 000017
【図１３】
0006621818.tif 000018